(57)【要約】【課題】プリンタの印字開始位置の調整を、専門家でない通常のユーザでも簡単かつ正確に調整できるようにする。【解決手段】記録用紙にクロスゲージを予め試し打ちし、クロスゲージ２１の記録用紙上の基準位置からの変位量を、実際に用紙上に印刷されたクロスゲージの位置に基づき確認し、矢印アイコン（ボタン）１３を用いてその変位量を設定値として表示部１８，１９に設定する操作を図示のような画面１０上で行なうことにより、通常のユーザでも容易かつ正確に位置調整ができるようにする。なお、クロスゲージ２１をここでは便宜的に表示しているが、実際に表示されるものではない。【選択図】図２
2007125749.tif 000002
【特許請求の範囲】
【請求項１】
印字を開始する前に記録用紙にクロスゲージを予め試し打ちし、印字されたクロスゲージの前記記録用紙上の基準位置からの変位量を確認し、その変位量を零にする設定変更操作を表示画面を介して実行することにより、印字開始位置の修正を可能にしたことを特徴とする印字方法。
【請求項２】
印字を開始する前に記録用紙にクロスゲージを予め試し打ちするクロスゲージ印字手段と、このクロスゲージの前記記録用紙上の基準位置からの変位量を零にする設定変更操作を実行するための画面表示を行なう表示手段とを少なくとも有することを特徴とする印字装置。
【発明の詳細な説明】
【技術分野】
【０００１】
この発明は、例えば産業廃棄物処理用マニフェストへの印字方法および装置、特に印字開始位置の調整が可能な印字方法および装置に関する。
【背景技術】
【０００２】
一般に産業廃棄物処理は、産業廃棄物管理票（マニフェスト）により管理することが法律で義務付けられている。
このマニフェスト制度は、産業廃棄物（産廃ともいう）の処理を委託する際に渡される、いわゆるマニフェストに、少なくとも産業廃棄物の種類，数量，運搬委託名，処分委託者名を記入し、業者から業者へ産廃とともにマニフェストを渡しながら、処理の流れを確認するシステムであり、それぞれの処理後に、排出事業者が各業者から処理終了を記載したマニフェストを受け取ることで、委託内容通りに産廃が処理されたことを確認できるようにし、これによって不適正な処理による環境汚染や、社会問題ともなっている不法投棄などを未然に防ぐことを目的とするものである。
【０００３】
このようなマニフェストでは通常、用紙両端に送り穴が形成され、横ミシン目で折り畳まれた連続用紙に、ドットプリンタを用いて必要なデータを印字（または印刷）する方法が採られている。
そこで、まずドットプリンタの概要について図６を参照して説明する。ドットプリンタは文字などを点（ドット）の集合、つまり７×９や１６×１６のドットマトリックスで表現するもので、文字単位で印字するシリアル方式、行単位で印字するライン方式、ページ単位で印字するページ方式等に分けることができる。
【０００４】
ドットプリンタの印字ヘッドは、例えば図６（ａ）に示すように縦方向のドット数に相当する針状のワイヤを、印字面に対して縦または列方向に列状（または千鳥足状）に並べた構成となっている。図６（ａ）は１列構成の印字ヘッド例を示すが、これを横（行）方向に一定速度で移動させ、その過程で印字ワイヤが図６（ｂ）のような文字（図は英字“Ｂ”の例）を表現するのに必要なドット位置にきたタイミングで、図６（ｃ）のように電磁石を励磁または非励磁とし、アーマチュアを介して印字ワイヤを駆動し、リボンを介して印字を行なう。
【０００５】
ところで、横ミシン目で折り畳まれた連続用紙からなるマニフェスト用紙は、湿度による伸び縮みや、機械的なストレスによるシート送り穴の変形、または装置の機械的な磨耗等によって、基準とする位置（目標点または基準位置）がいつも同じ位置にくるとは限らず、基準位置からずれることが多い。そこで、出願人はこのような位置ずれを、これまでは印字用プログラムの初期位置を修正することにより調整していた。
図７に印字用プログラムの例（一部）を示す。これは、マニフェストの種類に応じてオフセット（ＯＦＦＳＥＴ）量が微妙に異なる例を説明するもので、このオフセット量により印字開始位置を調整することで、印字ずれが生じないようにしている。
【０００６】
なお、プリンタでは印字開始位置の設定機能等は通常有しているが、これは飽くまでも一応の目安であり、実際に所望の位置に正しく印字するためには微調整が必要であり、その調整を、従来は上記のようにプログラムの設定を変更することで対処しているわけである。なお、これに類する技術を、特許電子図書館を利用し「印刷位置」，［先頭位置］なる検索ワードをキーにして検索したが、文献公知技術として記載できるものが抽出できなかったことを付記する。これは、このような技術はむしろプリンタの取り扱い説明書に記載されるような事項に類するもので、特許出願されるケースも少ない事情などによるものと考えられる。
【発明の開示】
【発明が解決しようとする課題】
【０００７】
ところで、プログラムは通常のユーザが簡単に調整できるようになってはおらず、その取り扱いはその道の専門家に委ねられているのが一般的であるため、その調整が困難であるという問題がある。
したがって、この発明の課題は、印字開始位置の調整を、専門家に限らず一般のユーザでも容易かつ正確にできるようにすることにある。
【課題を解決するための手段】
【０００８】
このような課題を解決するため、請求項１の発明では、印字を開始する前に記録用紙にクロスゲージを予め試し打ちし、印字されたクロスゲージの前記記録用紙上の基準位置からの変位量を確認し、その変位量を零にする設定変更操作を表示画面を介して実行することにより、印字開始位置の修正を可能にしたことを特徴とする。
【０００９】
請求項２の発明では、印字を開始する前に記録用紙にクロスゲージを予め試し打ちするクロスゲージ印字手段と、このクロスゲージの前記記録用紙上の基準位置からの変位量を零にする設定変更操作を実行するための画面表示を行なう表示手段とを少なくとも有することを特徴とする。
【発明の効果】
【００１０】
この発明によれば、クロスゲージを試し打ちし、クロスゲージの基準位置からのずれを用紙上への印刷結果から確認し、そのずれを修正するだけの簡単な操作により印字開始位置が調整できるので、専門家だけでなく通常のユーザでも簡単かつ正確にずれを調整することが可能となる。
【発明を実施するための最良の形態】
【００１１】
図１はこの発明の実施の形態を示す流れ図、図２は表示装置（ディスプレイ）上に表示される表示画面（一部）例を示す。
まず、位置調整するに当っては、図示されない印字調整ボタンを押す。これにより、ディスプレイ上に図２のような画面が表示される。表示画面を符号１０で示す。
この状態において、図１のステップＳ１でプリンタにマニフェスト用紙をセットした後（図１（イ）参照）、図２に示す確認印刷アイコン（ボタン）１２をステップＳ２で選択（クリック）すると、符号２１で示すような目盛りが付された指標ライン（以下、クロスゲージともいう）が、マニフェスト用紙上に試し印刷される（図１（ロ）参照）。なお、図２ではクロスゲージ２１を表示しているが、これは実際に画面表示されるものではなく、飽くまでもマニフェスト用紙の書式やその中心Ｐ、マニフェスト用紙２０の目標点または基準位置（用紙上で識別できる任意の点を選ぶことができる）などを分かりやすく説明するために、仮に表示したものである。
【００１２】
次に、試し印刷された結果を用紙上で確認し、クロスゲージ２１の中心Ｐが目標点または基準位置と一致していた場合（ステップＳ３でＹＥＳの場合）は以後の調整は不要なので、印字調整操作は終了し通常の印字動作へと移行する。しかし、中心Ｐが目標点または基準位置と一致することは極めて稀なケースなので、通常はこれらを一致させるための位置調整を、ここでは図２に示す表示画面の矢印アイコン（ボタン）１３を用いて行なう（ステップＳ４参照）。上矢印，下矢印，左矢印，右矢印は設定値をそれぞれ縦方向に「１」減らす，「１」増やす、横方向に「１」減らす，「１」増やすもので、中心Ｐの基準位置からのずれ量に応じて設定値が選ばれることになる。その後、設定が完了すると設定完了アイコン（ボタン）１５が選択され、設定値がプログラムに記憶される。これによって位置調整が行なわれ、以後は位置ずれなく正確に印字が行なわれることになる。
【００１３】
表示部１８，１９には、クロスゲージ２１の中心Ｐの目標点または基準位置からの変位量である設定値が表示されるが、図２では０，０が表示されているので初期設定時の値か、またはクロスゲージ２１の中心Ｐが基準位置と一致する無調整の場合の例であることを示す。なお、その設定値「１」はクロスゲージ２１の１目盛りに対応し、ここでは例えば５ドット（１．２７ｍｍ）程度を想定している。
また、図２の符号１１は印字調整が行なわれているか否かを示す表示部、１４は設定値を０に戻すアイコン（ボタン）、１６はマニフェスト印字メニューに移行する際に操作するアイコン（ボタン）、１７は用紙種別（ここでは８インチ用）を表示する表示部をそれぞれ示す。
【００１４】
この発明による印字例を図３，図４に示す。図３は位置ずれがある場合のクロスゲージ印字例と産廃種類の印字例を示し、図４は位置ずれがない場合のクロスゲージ印字例と産廃種類の印字例を示す。また、図５は印字プログラムの例を示す。
これは、例えば直行用マニフェスト用紙に対する印字初期値を、図５（ａ）のように、ＬＥＮＧＴＨ＿ＶＡＬＵＥ＝２０，ＳＩＤＥ＿ＶＡＬＵＥ＝２０として試し印字をした場合に、図３（ａ）のようにクロスゲージ２１が印字され、その結果日付け（年月日）や住所名称等の印字に、図３（ｂ）のような位置ずれが生じる場合を示している。Ｒは用紙上の基準点を示す。
これに対し、図５（ｂ）のようにＬＥＮＧＴＨ＿ＶＡＬＵＥ＝１０，ＳＩＤＥ＿ＶＡＬＵＥ＝１０に修正して試し印字をすると、図４（ａ）のようにクロスゲージ２１の中心が用紙の基準位置Ｒと合致し、その結果日付けや住所名称等の印字に際しては、図４（ｂ）のように位置ずれが生じないことが分かる。
【００１５】
なお、以上のような印字調整動作は、処理装置に予めプログラムしておくことにより、印字装置をして簡単に実行させることができる。また、このような調整をした後でも、或る程度の時間が経過すると、経年変化等によって位置ずれが生じることがあるので、時間管理等を適宜に行なってその都度調整することにより、位置ずれを無くすことが可能となる。
また、以上ではドットプリンタを用いる場合について主として説明したが、この発明は上記のような印字位置の調整が必要な印字装置一般に適用することができるのは言うまでも無く、用途もマニフェスト用のみ、また用紙も連続用紙のみに限らないことは勿論である。
【図面の簡単な説明】
【００１６】
【図１】この発明の実施の形態を説明する流れ図
【図２】図１で用いられる表示画面例の説明図
【図３】位置ずれがある場合のクロスゲージ印字例と日付け等の印字例の説明図
【図４】位置ずれがない場合のクロスゲージ印字例と日付け等の印字例の説明図
【図５】図３と図４の場合の印字プログラム例の説明図
【図６】ドットプリンタの原理説明図
【図７】印字プログラム例を示す説明図
【符号の説明】
【００１７】
１０…印字調整画面、１１…印字調整表示部、１２…確認印刷アイコン（ボタン）、１３…矢印アイコン（ボタン）、１４…元に戻すアイコン（ボタン）、１５…設定完了アイコン（ボタン）、１６…メニュー画面アイコン（ボタン）、１７…用紙種別表示部、１８，１９…設定値表示部、２０…表示されたマニフェスト用紙、２１…クロスゲージ。
【図１】
2007125749.tif 000003
【図２】
2007125749.tif 000004
【図３】
2007125749.tif 000005
【図４】
2007125749.tif 000006
【図５】
2007125749.tif 000007
【図６】
2007125749.tif 000008
【図７】
2007125749.tif 000009